(57)【要約】
【課題】　手の簡単な操作で、動物の口を動かすと同時に動物を模した縫いぐるみの口から鳴き声等の音声が発せられ、電池交換のための音声装置の縫いぐるみからの取り出しが容易な動物玩具を提供することを目的とする。
【解決手段】　動物玩具において、口の部分が開いた状態とした動物の形状を模した縫いぐるみであって、前記口の下部にポケットを形成し、前記ポケットにその動物に応じた音声を記憶した回路基板を有し、上下に押圧することによりスイッチをオンとしてスピーカーからその動物に応じた音声を発するスイッチボックスを収容し、前記スイッチボックスを収容したポケットの上部を塞ぐ先端に面状ファスナを備えた舌部とを有し、前記縫いぐるみの下部から口の部分まで手の指を挿入し、動物の口を閉じる動作をすることにより前記スイッチボックスを指により押圧可能としたことを特徴とする。
【選択図】図１
0003099686.tif 000002
【実用新案登録請求の範囲】
【請求項１】
口の部分が開いた状態とした動物の形状を模した縫いぐるみであって、前記口の下部にポケットを形成し、前記ポケットにその動物に応じた音声を記憶した回路基板を有し、上下に押圧することによりスイッチをオンとしてスピーカーからその動物に応じた音声を発するスイッチボックスを収容し、前記スイッチボックスを収容したポケットの上部を塞ぐ先端に面状ファスナを備えた舌部とを有し、前記縫いぐるみの下部から口の部分まで手の指を挿入し、動物の口を閉じる動作をすることにより前記スイッチボックスを指により押圧可能としたことを特徴とする動物玩具。
【請求項２】
動物の形状の相違に応じてスイッチボックス内の回路基板に記憶される音声を替えることを特徴とする請求項１に記載の動物玩具。
【請求項３】
前記スイッチボックス内に録音装置を内蔵させ、録音した音声を発声させることを特徴とする請求項１又は２に記載の動物玩具。
【請求項４】
前記スイッチボックスは、ボックス状の容器の蓋部材がコイルスプリングによりスイッチをオフの状態に付勢し、蓋部材を付勢力に逆らって押圧することによりスイッチをオンとすることを特徴とする請求項１〜３のいずれか１項に記載の動物玩具。
【請求項５】
前記スイッチボックスは、ボックス状の容器の蓋部材に所定形状の板バネを配置し、前記板バネを押圧することによりスイッチをオンとすることを特徴とする請求項１〜３のいずれか１項に記載の動物玩具。
【考案の詳細な説明】
【技術分野】
【０００１】
　本発明は、音声を発する動物の形状を模した縫いぐるみからなる動物玩具に関する。
【背景技術】
【０００２】
　従来、動物を模した縫いぐるみとして、その腹部等に発声装置を内蔵させ、腹部を押圧することにより鳴き声や各種声等の音声を発するようにした動物玩具が存在する。
【特許文献１】実開平７−２２７９８号公報
【考案の開示】
【考案が解決しようとする課題】
【０００３】
　しかしながら、従来の動物玩具においては、動物に模した縫いぐるみの腹部に音声装置が内蔵されているため、その音声が動物玩具と遊ぶ人々に動物の口から発声しているようには感じさせることができず、また、縫いぐるみを手により操作して人形劇のような遊びをする場合にも、音声を発する場合、手で動物の口や手を動かすと同時に、腹部を押圧する必要があり、手による操作が複雑になるという問題があった。
　また、動物の腹部に音声装置を内蔵しているため、音声装置の電池を交換する際、音声装置を動物腹部からの取り出すための作業が複雑であり、時間を要するという問題があった。
【０００４】
　本考案は、前記従来技術の問題を解決した、手の簡単な操作で、動物の口を動かすと同時に動物を模した縫いぐるみの口から鳴き声等の音声が発せられ、電池交換のための音声装置の縫いぐるみからの取り出しが容易な動物玩具を提供することを目的とする。
【課題を解決するための手段】
【０００５】
　本第１考案は、動物玩具において、口の部分が開いた状態とした動物の形状を模した縫いぐるみであって、前記口の下部にポケットを形成し、前記ポケットにその動物に応じた音声を記憶した回路基板を有し、上下に押圧することによりスイッチをオンとしてスピーカーからその動物に応じた音声を発するスイッチボックスを収容し、前記スイッチボックスを収容したポケットの上部を塞ぐ先端に面状ファスナを備えた舌部とを有し、前記縫いぐるみの下部から口の部分まで手の指を挿入し、動物の口を閉じる動作をすることにより前記スイッチボックスを指により押圧可能としたことを特徴とする。
【０００６】
　本第２考案は、本第１の考案の動物玩具において、動物の形状の相違に応じてスイッチボックス内の回路基板に記憶される音声を替えることを特徴とする。
【０００７】
本第３考案は、本第１又は第２考案の動物玩具において、前記スイッチボックス内に録音装置を内蔵させ、録音した音声を発声させることを特徴とする。
【０００８】
　本第４考案は、本第１〜第３考案のいずれか１つの発明の動物玩具において、前記スイッチボックスは、ボックス状の容器の蓋部材がコイルスプリングによりスイッチをオフの状態に付勢し、蓋部材を付勢力に逆らって押圧することによりスイッチをオンとすることを特徴とする。
【０００９】
　本第４考案は、本第１〜第３考案のいずれか１つの考案の動物玩具において、前記スイッチボックスは、ボックス状の容器の蓋部材に所定形状の板バネを配置し、前記板バネを押圧することによりスイッチをオンとすることを特徴とする。
【考案の効果】
【００１０】
　本考案の構成により、簡単な構成で縫いぐるみ本体の口から動物に応じた鳴き声や声等の音声が発声されるので、遊ぶ人々に興味を引く動物玩具となる。
　この動物玩具を指人形として遊ぶ場合も、動物の鳴き声や声等の音声が口の上下部を閉じる動作だけで発声できるので、動物玩具の指による操作が容易となる。
　動物の鳴き声や声等の音声を発声するスイッチボックスが縫いぐるみ本体の口の下部に形成されたポケットに収容され、舌部で覆い隠されているだけなので、スイッチボックスの電池交換の際のスイッチボックスの縫いぐるみ本体からの取り出しが容易である。
【考案を実施するための最良の形態】
【００１１】
　本考案の実施形態を図により説明する。
　図１及び図２は、本考案の動物玩具の一実施形態を示すものである。この実施形態に示される動物玩具１は、パンダに模した縫いぐるみ本体２を有する。動物を模した形状としては、犬、猫、豚、ライオン、猿等どのようなものでもよい。縫いぐるみ本体２の口３の上下部分４、５は常時開いた状態とする。縫いぐるみ本体２の下の部分から口３の上下部分４、５部分まで手の指が挿入可能な空所が縫いぐるみ本体２内に形成される。
【００１２】
　縫いぐるみ本体２内に挿入された手の指を縫いぐるみ本体２の口３の上下部分４、５に挿入可能とされ、指の操作により縫いぐるみ２の口３を開いた状態から閉じた状態にすることができる。指を離すと元の口が開いた状態の戻るようになっている。
【００１３】
　縫いぐるみ本体２の口３の下部分５に所定大きさのポケット６が形成される。このポケット６に縫いぐるみ本体２の動物に合った鳴き声を発するスイッチボックス７が収容される。
【００１４】
　縫いぐるみ本体２の口３の下部分５に形成されたポケット６の上部を覆う大きさの舌部８が、縫いぐるみ本体２の口３の奥部に一端を固定されて配置される。舌部８の先端と口３の下部５に面状ファスナ９が設置され、ポケット６に収容されたスイッチボックス７を舌部８で覆い隠す。
【００１５】
　図３にスイッチボックス７の一実施形態を示す。スイッチボックス７は、ボックス状のケーシング１０と、その上部を覆う蓋部材１１を有する。ケーシング１０内には、動物の形状に応じた鳴き声や声等の音声を記憶した回路基板１２、電池１３が収容され、接地リード線１５と回路リード線１６の固定接点がドームスイッチ１４の導電部分と接離されるように配置される。蓋部材１１には、スピーカー１８が配置される。スピーカー１８と回路基板１２間にスピーカー用配線１７が連結される。ケーシング１０と蓋部材１１との間にコイルスピリング１９が配置され、蓋部材１１をケーシング１０に対して上方向に付勢する。蓋部材１１をコイルスプリング１９の付勢力に逆らって押し下げると、蓋部材１１のスピーカー１８の下部がドームスイッチ１４を押し下げ導電部分で接地リード線１５と回路リード線１６の摂理した固定設定を導電させる。回路基板１２からの動物の鳴き声が電気信号でスピーカー１８に伝達され、動物の形状に応じた鳴き声や声等の音声がスピーカー１８から発声される。
【００１６】
　図４に示される実施形態では、コイルスプリング１９に替えて、ケーシング１０の上面に板バネ２０を配置したものである。
【００１７】
　このようなスイッチボックス７を縫いぐるみ本体２の口３の下部５のポケット６に収容し、舌部８で覆い、縫いぐるみ本体２の下部から挿入した手の指で口３の上下部４，５を閉じる動作をすると、スイッチボックス７の蓋部材１１又は板バネ２０が押圧され、ドームスイッチ１４がオンとなり、回路基板１２に記憶された動物に応じた鳴き声や声等の音声をスピーカー１８を通して発声する。
【図面の簡単な説明】
【００１８】
【図１】本考案の実施形態を示す図である。
【図２】本考案の実施形態を示す図である。
【図３】本考案のスイッチボックスの実施形態を示す図である。
【図４】本考案のスイッチボックスの他の実施形態を示す図である。
【符号の説明】
【００１９】
　　１：動物玩具　　
　　２：縫いぐるみ本体　　
　　３：口
　　４：口の上部
　　５：口の下部
　　６：ポケット
　　７：スイッチボックス
　　８：舌部
　　９：面状ファスナ
　　１０：ケーシング
　　１１：蓋部材
　　１２：回路基板
　　１３：電池
　　１４：ドームスイッチ
　　１５：接地リード線
　　１６：回路リード線
　　１７：スピーカー配線
　　１８：スピーカー
　　１９：コイルスプリング
　　２０：板バネ
【図１】
0003099686.tif 000003
【図２】
0003099686.tif 000004
【図３】
0003099686.tif 000005
【図４】
0003099686.tif 000006